(57)【要約】【課題】本発明は、先端部に鋸歯が形成された管状の骨切断具を用いて切除される骨を破砕せずに全体をそのまま確実に採取できる切除骨採取具を提供することを目的とするものである。【解決手段】切除骨採取具は、支持部材１及びガイド部材２を備えており、支持部材１は、中央部のフランジ部１３の一方の側には、外周にネジ山が形成された螺着部１２を介してネジ固定部１０が形成されている。ガイド部材２は、円筒状に形成された本体部２０を備えており、本体部２０の一方の端部に内周面にネジ溝が形成された取付部２１が設けられており、他方の端部には開口部２２が設けられている。取付部２１を螺着部１２に取り付けることでガイド部材２が支持部材１に取り付けられる。ガイド部材２の開口部２２を骨切断具の切断痕に挿入し回転させてネジ固定部１０を骨の内部に螺入させた後引き抜くことで骨をそのままの状態で採取できる。【選択図】図１
2008295901.tif 000002
【特許請求の範囲】
【請求項１】
管状の骨切断具を用いて切除される骨を採取するための切除骨採取具であって、前記骨切断具の切断痕に挿入可能な形状を有する管状のガイド部材と、前記ガイド部材を中心軸方向に着脱可能に支持するとともに前記ガイド部材の内部に中心軸に沿って延設される棒状のネジ固定部が設けられた支持部材とを備えていることを特徴とする切除骨採取具。
【請求項２】
前記ガイド部材は、前記支持部材に螺着されていることを特徴とする請求項１に記載の切除骨採取具。
【請求項３】
前記ネジ固定部は、その先端が前記ガイド部材の開口端よりも内方となるように設定されていることを特徴とする請求項１又は２に記載の切除骨採取具。
【請求項４】
前記ネジ固定部は、その先端が尖った形状となるようにテーパ状に形成されていることを特徴とする請求項１から３のいずれかに記載の切除骨採取具。
【発明の詳細な説明】
【技術分野】
【０００１】
本発明は、歯科、口腔外科、整形外科等の外科手術において、骨にインプラント用の挿着孔を穿孔する際に用いられる切除骨採取具に関する。
【背景技術】
【０００２】
歯科、口腔外科、整形外科等の外科手術では、人工歯根、人工関節、人工骨、骨折治療具等のインプラントを正確に挿着する必要があり、そのため人体の生体骨に予め穿孔して挿着孔を形成し、挿着孔にインプラントを挿入して位置決め固定するようにしている。
【０００３】
こうした穿孔具としては、例えば、特許文献１に記載されているように円筒の開口部に切断刃を形成した切断具が用いられる。特許文献１に記載の切断具では、円筒形の孔を正確に穿孔することができるが、切断した内部の骨を除去する必要があり、そのため、例えば、特許文献２及び３に記載されているように、骨の切断と同時に内部の骨を破砕して除去し、破砕された骨は装置とともに取り出してインプラントの取り付けの際に孔の充填材料に再利用することが提案されている。
【０００４】
切断された骨を除去する方法としては、例えば、特許文献４では、円筒形の刃物で切断された骨栓を棒状体の内部に挿し込んでネジにより狭圧し、棒状体をねじって除去するようにした点が記載されている。
【特許文献１】実開昭５６−２８３０８号公報
【特許文献２】特開平１０−１１８０８５号公報
【特許文献３】特表２００３−５２６４１７号公報
【特許文献４】実開平１−８２０１５号公報
【発明の開示】
【発明が解決しようとする課題】
【０００５】
特許文献２のように、切断した骨を破砕して除去する場合破砕した骨を再利用することが行われているが、切断と同時に内部の骨を破砕すると、取り出す際に破砕した骨が一部流出してしまうことがあり、再利用可能な生体骨が無駄になるおそれがある。また、特許文献４のように、ネジにより挟圧して捩り取る場合では、骨栓部分で挟圧していないため骨栓の途中で切れてしまい、底面からきれいに除去できないおそれがある。
【０００６】
そこで、本発明は、先端部に鋸歯が形成された管状の骨切断具を用いて切除される骨を破砕せずに全体をそのまま確実に採取できる切除骨採取具を提供することを目的とするものである。
【課題を解決するための手段】
【０００７】
本発明に係る切除骨採取具は、管状の骨切断具を用いて切除される骨を採取するための切除骨採取具であって、前記骨切断具の切断痕に挿入可能な形状を有する管状のガイド部材と、前記ガイド部材を中心軸方向に着脱可能に支持するとともに前記ガイド部材の内部に中心軸に沿って延設される棒状のネジ固定部が設けられた支持部材とを備えていることを特徴とする。さらに、前記ガイド部材は、前記支持部材に螺着されていることを特徴とする。さらに、前記ネジ固定部は、その先端が前記ガイド部材の開口端よりも内方となるように設定されていることを特徴とする。さらに、前記ネジ固定部は、その先端が尖った形状となるようにテーパ状に形成されていることを特徴とする。
【発明の効果】
【０００８】
上記のような構成を有することで、骨切断具の切断痕に挿入可能な形状を有する管状のガイド部材と、ガイド部材を中心軸方向に着脱可能に支持するとともにガイド部材の内部に中心軸に沿って延設される棒状のネジ固定部が設けられた支持部材とを備えているので、先端部に鋸歯が形成された管状の骨切断具を用いて生体骨に形成された切断痕にガイド部材を挿入しながら支持部材を回転させると、内部のネジ固定部が生体骨に螺入されていき、ネジ固定部が螺入された状態で支持部材を引き抜けば、切除部分の骨全体をそのまま採取することができる。そして、ガイド部材を切断痕に挿入しながらネジ固定部を螺入するので、ネジ固定部が切除部分の骨から外れることなく確実に切除部分の骨の内部に螺入していき、支持部材を引き抜く際にはネジ固定部の先端部分において骨が分離して採取されるため、切除部分の骨全体を残すことなく確実に採取することができる。
【０００９】
そのため、骨を採取した後に骨に形成されたインプラントの挿着孔は、切断した際の深さまできれいに仕上げることができる。また、採取された骨は、ガイド部材を支持部材から中心軸方向に沿って取り外してネジ固定部が内部に螺入された切除部分の骨全体を表出させ、切除部分の骨からネジ固定部を取り外せば、破砕された場合のように外部に流出することはなく簡単に切除部分の骨を取得することができる。また、こうして採取された骨は、破砕されることなく生体骨のままの状態で採取されているので、骨の表面や内部の組織をそのままの状態で得ることができ、骨の部位別に分けて処理するといったことも可能となる。
【００１０】
また、ガイド部材を支持部材に螺着して取り付けるようにすれば、中心軸方向に簡単に着脱可能に取り付けることができ、また、支持部材を回転しながら操作する際にもガイド部材が外れることなく安定して操作することができる。
【００１１】
また、ネジ固定部の先端をガイド部材の開口端よりも内方となるように設定すれば、ガイド部材の開口端が骨切断具の切断痕に挿入された状態でネジ固定部の先端が骨に接触するようになり、ネジ固定部の先端の螺入位置及び方向をガイド部材の挿入により確実に設定した状態で支持部材を回転させることができ、切除部分の骨から外れることなく安定した状態でネジ固定部を螺入することが可能となる。
【００１２】
また、ネジ固定部をその先端が尖った形状となるようにテーパ状に形成すれば、骨の内部にスムーズに螺入させることができ、ネジ固定部を骨から取り外す際にも骨を砕くことなく容易に取り外すことができる。
【発明を実施するための最良の形態】
【００１３】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１４】
図１は、本発明に係る実施形態に関する分解斜視図である。切除骨採取具は、支持部材１及びガイド部材２を備えている。
【００１５】
支持部材１は、ほぼ中央部にフランジ部１３が形成された棒状体であり、フランジ部１３は、円盤状に突設され、外周面の一部を切欠いて平面状の係止部１３ａが一対形成されている。そして、フランジ部１３から一方の側には、外周にネジ山が形成された螺着部１２を介してネジ固定部１０が形成されている。
【００１６】
ネジ固定部１０は、支持部材１の中心軸に沿って棒状に延設されており、外周面全体に螺旋状のネジ山が形成されている。そして、ネジ固定部１０の全体形状は、先端部にいくに従い尖った形状となるようにテーパ状に形成されている。
【００１７】
フランジ部１３の他方の側には図示せぬ駆動ヘッドに取り付けられる取付部１１が形成されている。取付部１１は、支持部材１の中心軸に沿った円柱状に形成されており、その先端部に駆動ヘッドに装着固定される装着部１１ａが設けられている。
【００１８】
そして、支持部材１はステンレス等の金属材料からなり、その全体形状は切削加工等により一体成形される。
【００１９】
ガイド部材２は、円筒状に形成された本体部２０を備えており、本体部２０の一方の端部に内周面にネジ溝が形成された取付部２１が設けられており、他方の端部には開口部２２が設けられている。本体部２０の外周面には挿入された深さを示す目盛を表示するようにしてもよい。
【００２０】
取付部２１は、支持部材１の螺着部１２に嵌合してねじ込まれることでガイド部材２が支持部材１に着脱可能に取り付けられる。また、取付部２１の外周面の一部を切欠いて平面状の係止部２１ａが一対形成されている。係止部２１ａは、ガイド部材２を支持部材１に締付固定する際又は支持部材１から取り外す際に、フランジ部１３に形成された係止部１３ａとともに図示せぬ取付工具をそれぞれ嵌着して互いに逆回転させることでガイド部材２を支持部材１に容易に着脱できるようになっている。
【００２１】
ガイド部材２の開口部２２は、外周面が内方に向かってテーパ状に形成されており、後述するように切断痕への挿入を容易に行えるようにしている。
【００２２】
ガイド部材２は、支持部材１と同様にステンレス等の金属材料からなり、その全体形状は切削加工等により一体成形される。
【００２３】
ガイド部材２を支持部材１に取り付ける場合には、ネジ固定部１０の先端から中心軸方向に挿入して取付部２１を螺着部１２に締付固定して取り付け、取り外す場合にも支持部材１の中心軸方向に移動させて取り外すようになる。
【００２４】
図２は、支持部材１にガイド部材２を取り付けた状態における支持部材１の中心軸に沿った断面図である。支持部材１のネジ固定部１０の中心軸は、ガイド部材２の本体部２０の中心軸と一致しており、取付部１１が駆動ヘッドに取り付けられて回転駆動されると、その回転軸Ａを中心としてネジ固定部１０及び本体部２０が回動するようになる。そして、図３の一部拡大断面図に示すように、ネジ固定部１０の尖った先端１０ａ及び開口部２２の中心は回転軸Ａ上に位置しており、先端１０ａが開口部２２よりもわずかに内方に位置決めされるように設定されている。
【００２５】
なお、ネジ固定部１０の外径等の形状や本体部２０の外径等の形状は、インプラント用の挿着孔を穿孔するための骨切断具のタイプに応じて複数種類準備しておき、対応するものを選択するようにすればよい。
【００２６】
図４は、駆動ヘッド１００に支持部材１を取り付ける場合を示す斜視図である。支持部材１の取付部１１を駆動ヘッド１００の装着部１０１に挿し込んで容易に取り付けることができる。そして、駆動ヘッド１００を手で把持して操作することで、インプラントのための施術が行われる。
【００２７】
図５は、骨切断具３に関する斜視図である。骨切断具３は、円筒状の本体部３０の一方の側に取付部３１が設けられており、他方の側の先端部に鋸歯が形成された切断部３２が設けられている。そして、上述した切除骨採取具と同様に駆動ヘッドに取付部３１を取り付けて回転駆動することで骨に円形の切断痕を形成することができる。こうした骨切断具は公知のものである。
【００２８】
図６は、骨切断具３による切断過程を示す説明図である。骨切断具３を回転させると、本体部３０がその中心軸を回転軸として回動するようになり、円形の切断部３２も同様にその中心を回転中心として回動するようになる（図６（ａ））。そして、切断部３２を回転させながら骨Ｂの対象部位に切断部を押付けることで切断が行われる（図６（ｂ））。本体部３０の外周面には切断深さを示す目盛が表示されており、その目盛を確認しながら必要な深さまで本体部３０を回転させながら押し込んでいく。必要な深さまで切断が行われた後骨切断具３を引き上げると、円形の切断痕Ｃが形成されて切除部分の骨Ｂ１が円柱状に残留した状態となる（図６（ｃ））。
【００２９】
図７は、残留した切除部分の骨Ｂ１を切除骨採取具で採取する過程を示す説明図である。まず、切除骨採取具のガイド部材２の開口部２２を切断痕Ｃに挿入して位置合せし、その際に内部のネジ固定部１０の先端１０ａが切断部分の骨Ｂ１の円形表面の中心に突き刺さるように位置決めされる（図７（ａ））。
【００３０】
位置合せした後切除骨採取具を回転駆動することで、ネジ固定部１０が切除部分の骨Ｂ１にねじ込まれるように螺入されていく。その際に、ガイド部材２の本体部２０が切除部分の骨Ｂ１の外周に沿って案内されていくため、ネジ固定部１０は切除部分の骨Ｂ１の中心軸からずれることなく螺入されていく（図７（ｂ））。ネジ固定部１０が螺入されていく際に骨の部分がガイド部材２の内周面に向かって圧迫された状態となり、切除部分の骨Ｂ１はガイド部材２内に圧接保持された状態となる。
【００３１】
ガイド部材２の外周面に表示された目盛を確認しながら、必要な深さまでガイド部材２を挿入した後、切除骨採取具を引き抜くことで、切除部分の骨Ｂ１が引きちぎられるように分離される。その際にネジ固定部１０の先端１０ａが切除部分の骨Ｂ１の底部まで螺入した状態となっているので、切除部分の骨Ｂ１全体をきれいに除去するように分離することができる。したがって、分離後に形成された孔は、底面に残留物のない設計通りの寸法に仕上げることができ、インプラントの挿着をスムーズに行うことが可能となる（図７（ｃ））。
【００３２】
切除部分の骨Ｂ１を分離して保持する切除骨採取具は、駆動ヘッドから取り外し、取付工具によりガイド部材２を回転させて支持部材１の螺着部１２から外す。そして、本体部２０を中心軸方向に移動させることで、切除部分の骨Ｂ１をネジ固定部１０に保持したままガイド部材２を取り外すことができる（図７（ｄ））。
【００３３】
ガイド部材２を取り外した後切除部分の骨Ｂ１を保持した状態で支持部材１を回転させながらネジ固定部１０を骨から抜き取る（図７（ｅ））。こうして、切除部分の骨Ｂ１を外部に流出させることなく生体骨にあったままの状態で採取することができる（図７（ｆ））。採取された骨は、破砕してインプラント挿着孔の充填材料として用いてもよく、その際に破砕の粒径を自由に設定することができ、インプラントの状態に合せてきめ細かく対応することができる。また、生体骨からそのままの状態で採取することができるので、採取した骨を部位別に分離して用いることも簡単に行うことができる。
【００３４】
以上説明したように、切断した骨を短時間で簡単に除去してそのままの状態で採取することができるので、採取した骨を各種インプラントの施術において幅広く有効活用することが可能となる。
【図面の簡単な説明】
【００３５】
【図１】本発明に係る実施形態に関する分解斜視図である。
【図２】図１に示す実施形態に関する断面図である。
【図３】図２の一部拡大断面図である。
【図４】駆動ヘッドへの装着状態を示す斜視図である。
【図５】骨切断具に関する斜視図である。
【図６】骨切断具による切断過程を示す説明図である。
【図７】切除骨採取具による採取過程を示す説明図である。
【符号の説明】
【００３６】
１    支持部材
10    ネジ固定部
11    取付部
12    螺着部
13    フランジ部
２    ガイド部材
20    本体部
21    取付部
22    開口部
【図１】
2008295901.tif 000003
【図２】
2008295901.tif 000004
【図３】
2008295901.tif 000005
【図４】
2008295901.tif 000006
【図５】
2008295901.tif 000007
【図６】
2008295901.tif 000008
【図７】
2008295901.tif 000009